(57)【要約】【課題】ロングラン印刷であっても、印刷物のざらつきを抑え、かつ印刷品質のばらつきを阻止することが可能なグラビア印刷版を提供すること。【解決手段】本発明は、画線部を形成する略矩形のセル１０の集合体が版面に形成されてなるグラビア印刷版において、各セル１０は、セル外枠を形成しインキを保持しない枠状の外枠部１２と、外枠部１２に内接して配置されインキを保持する枠状の第１のインキ保持部１４と、第１のインキ保持部１４の内側に配置されインキを保持しないインキ非保持部１６と、インキ非保持部１６に囲まれるように配置されインキを保持する第２のインキ保持部１８とを備えてなる。【選択図】      図１
2006026926.tif 000002
【特許請求の範囲】
【請求項１】
画線部を形成する略矩形のセルの集合体が版面に形成されてなるグラビア印刷版において、
前記各セルは、
セル外枠を形成し、インキを保持しない枠状の外枠部と、
前記外枠部に内接して配置され、インキを保持する枠状の第１のインキ保持部と、
前記第１のインキ保持部の内側に配置され、インキを保持しないインキ非保持部と、
前記インキ非保持部に囲まれるように配置され、インキを保持する第２のインキ保持部と
を備えてなるグラビア印刷版。
【請求項２】
請求項１に記載のグラビア印刷版において、
前記各セルにおけるインキ保持部の面積率を高める場合には、前記第１のインキ保持部の面積を保持しながら、前記第２のインキ保持部の面積を大きくすることによって行うグラビア印刷版。
【請求項３】
請求項１に記載のグラビア印刷版において、
少なくとも一つのセルは、前記第２のインキ保持部の面積を保持しながら、前記第２のインキ保持部の位置および形状のうちの少なくとも何れかを、隣接するセルの第２のインキ保持部のものと異なるようにしたグラビア印刷版。
【請求項４】
請求項１乃至３のうち何れか１項に記載のグラビア印刷版において、
少なくとも一つのセルは、前記外枠部の形状の一部を変化させることにより、隣接するセルの外枠部の形状と異なるようにしたグラビア印刷版。
【請求項５】
請求項１乃至４のうち何れか１項に記載のグラビア印刷版によって印刷されてなる印刷物。
【請求項６】
請求項５に記載の印刷物を綴じてなる冊子体。
【発明の詳細な説明】
【技術分野】
【０００１】
本発明は、ロングラン印刷における印刷品質のバラツキを抑えるのに好適なグラビア印刷版、このグラビア印刷版によって印刷されたグラビア印刷物、およびこのグラビア印刷物を綴じてなる冊子体に関するものである。
【背景技術】
【０００２】
従来、グラビア印刷には、コンベンショナルグラビア印刷法、ダイレクトグラビア印刷法、および彫刻グラビア印刷法のいずれかが採用されており、これらの三版式において、版面に形成される凹部であるセルの基本形状は、例えば図１５、図１６、および図１７に示すように、ライトセル、ミディアムセル、シャドウセルの順にセルの容積を大きくして、紙に転移するインキの量を増やしていた。
【０００３】
しかしながら、従来のように、セルの中心から、セルを徐々に大きくしてセルの容積を増やす方法では、印刷された印刷物がざらついて見え、かつ、一つの版で何枚も印刷するロングラン印刷において、印刷品質がばらつくという２つの問題を有していた。
【０００４】
すなわち、セルから紙にインキが転移した後は、紙の上にインキ膜が形成される。このとき、インキ膜は、略中央が最も厚く、逆に、周囲が最も薄い。このように、一つのセルから転移したインキによって紙に形成されるインキ膜は、厚さの差を有している。そして、このインキ膜の差は、セルの容積が大きいほど大きくなるため、膜が厚いところが濃く、逆に、膜が薄いところが薄く見えるようになる。その結果、人間の目には、濃いところだけが強調して見え、ざらついてみえるようになってしまうのである。
【０００５】
また、ロングラン印刷では、印刷中にインキの粘度が低下し、紙に転移したインキが広がり易くなる。よって、セルの中心から、徐々に大きくしたセルを形成した版を用いた場合では、紙に形成されたインキ膜の面積が、印刷当初の面積よりも大きくなり、色が濃く見えてしまう。これでは、印刷し始めた時と、終了間際のものとで、印刷物の出来上がりに差が生じるようになり、品質が低下してしまう。
【０００６】
そこで、引用文献１には、ロングラン印刷において、品質がばらつかないようなセルの形状が開示されている。すなわち、引用文献１には、従来は、円状であったセルの略中心に、セルが形成されない領域を設けたドーナッツ状のセルが開示されている。このように、セルをドーナッツ状に形成することによって、紙に転移するインキもドーナッツ状となるため、ロングランの印刷においてインキの粘度が低下した際は、ドーナッツ状に転移したインキ膜の内側に広がるようになり、インキ膜の面積を、印刷開始当初の面積よりも大きくする事を防ぐ事が可能となる。
【特許文献１】特開平１０−１５７２７３号公報
【発明の開示】
【発明が解決しようとする課題】
【０００７】
しかしながら、このような従来のグラビア印刷では、以下のような問題がある。
【０００８】
すなわち、上述したような引用文献１に開示しているドーナッツ状のセルでも、ざらつきを抑える事はできていない。つまり、引用文献１に開示しているドーナッツ状のセルでは、シャドウになればなるほど、ドーナッツの部分が太くなって容積が大きくなるため、紙に転移したドーナッツ状のインキ膜の略中央が厚くなり、ドーナッツ状のインキ膜の周囲が薄くなる。よって、人間の目には、インキ膜が厚い中央部分のみが強調されて濃く見え、ざらつきを感じるようになってしまうからである。
【０００９】
なお、引用文献１に開示されているセルは、ドーナッツ状であるため、中央にセルが形成できない領域が存在する。しかし、このセルが形成されない領域はとても小さい面積であるため、紙に転移した後は、人間の目で識別する事ができない。よって、ドーナッツ状のセルであっても、従来技術によるセルと同様に、紙に転移したインキ膜の中央部分が濃く見えるようになり、この濃く見える中央部分だけが強調されて、ざらつきを感じてしまう。
【００１０】
本発明はこのような事情に鑑みてなされたものであり、その第１の目的は、ロングラン印刷であっても、印刷物のざらつきを抑え、かつ印刷品質のばらつきを阻止することが可能なグラビア印刷版を提供することにある。
【００１１】
また、その第２の目的は、このグラビア印刷版を用いて印刷することにより、ロングラン印刷であっても、ざらつきや、品質のばらつきのないグラビア印刷物および冊子体を提供することにある。
【課題を解決するための手段】
【００１２】
上記の目的を達成するために、本発明では、以下のような手段を講じる。
【００１３】
すなわち、請求項１の発明は、画線部を形成する略矩形のセルの集合体が版面に形成されてなるグラビア印刷版において、各セルは、セル外枠を形成しインキを保持しない枠状の外枠部と、外枠部に内接して配置されインキを保持する枠状の第１のインキ保持部と、第１のインキ保持部の内側に配置されインキを保持しないインキ非保持部と、インキ非保持部に囲まれるように配置されインキを保持する第２のインキ保持部とを備えてなる。
【００１４】
従って、請求項１の発明のグラビア印刷版においては、以上のような手段を講じることにより、一つのセル内に、インキを保持する領域が２つ、すなわち第１のインキ保持部と第２のインキ保持部とが存在するため、転移するインキの量を分散することができる。その結果、転移するインキの量を、従来技術に比べて少なくすることができ、もって、第１のインキ保持部と第２のインキ保持部とから転移して形成されたそれぞれのインキ膜の中央厚さを、従来技術に比べて薄くすることが可能となる。
【００１５】
これによって、紙の白との間で生じるコントラストを押さえ、ざらつきを抑える事が可能になる。また、第１のインキ保持部がドーナッツ状であるため、ロングラン印刷においても、品質がばらつくことを阻止することが可能となる。
【００１６】
請求項２の発明は、請求項１の発明のグラビア印刷版において、各セルにおけるインキ保持部の面積率を高める場合には、第１のインキ保持部の面積を保持しながら、第２のインキ保持部の面積を大きくすることによって行う。
【００１７】
従って、請求項２の発明のグラビア印刷版においては、以上のような手段を講じることにより、網点を大きくする場合であっても、第１のインキ保持部と第２のインキ保持部とを独立して存在させたまま行うことができるので、請求項１の発明のグラビア印刷版と同様に、転移するインキの量を、従来技術に比べて少なくすることができ、もって、第１のインキ保持部と第２のインキ保持部とから転移して形成されたそれぞれのインキ膜の中央厚さを、従来技術に比べて薄くすることが可能となる。
【００１８】
請求項３の発明は、請求項１の発明のグラビア印刷版において、少なくとも一つのセルは、第２のインキ保持部の面積を保持しながら、第２のインキ保持部の位置および形状のうちの少なくとも何れかを、隣接するセルの第２のインキ保持部のものと異なるようにしている。
【００１９】
従って、請求項３の発明のグラビア印刷版においては、以上のような手段を講じることにより、網点の大きさを変えることなく、このグラビア印刷版によって印刷されたグラビア印刷物のモアレを阻止することが可能となる。
【００２０】
請求項４の発明は、請求項１乃至３のうち何れか１項の発明のグラビア印刷版において、少なくとも一つのセルは、外枠部の形状の一部を変化させることにより、隣接するセルの外枠部の形状と異なるようにしている。
【００２１】
このようにして、隣接するセルの形状を変化させたグラビア印刷版を用いて印刷することによって、モアレの発生しないグラビア印刷物を実現することが可能となる。
【００２２】
請求項５の発明は、請求項１乃至４のうち何れか１項の発明のグラビア印刷版によって印刷されてなる印刷物である。また、請求項６の発明は、請求項５の発明の印刷物を綴じてなる冊子体である。
【００２３】
このように、請求項１乃至４のうち何れか１項の発明のグラビア印刷版を用いて印刷することによって、ざらつきが抑えられ、ロングラン印刷であっても、品質のばらつきのないグラビア印刷物および冊子体を実現することが可能となる。
【発明の効果】
【００２４】
本発明のグラビア印刷版によれば、ロングラン印刷であっても、印刷物のざらつきを抑え、かつ印刷品質のばらつきを阻止することが可能となる。
【００２５】
したがって、このグラビア印刷版を用いて印刷することによって、ロングラン印刷であっても、ざらつきを抑え、かつ品質のばらつきのないグラビア印刷物および冊子体を実現することが可能となる。
【発明を実施するための最良の形態】
【００２６】
以下に、本発明を実施するための最良の形態について図面を参照しながら説明する。
【００２７】
図１（ａ）は、本発明の実施の形態に係るグラビア印刷版のセルの構成例を示す平面図である。また、図１（ｂ）は、図１（ａ）中におけるＡ−Ａ線に沿った断面図を２つ並べた図である。
【００２８】
すなわち、本発明の実施の形態に係るグラビア印刷版は、画線部を形成する図１に示すような略矩形のセル１０の集合体が版面に形成されている。このセル１０は、一例として２０×２０＝４００の矩形状のマスによって形成されており、外枠部１２と、第１のインキ保持部１４と、第２のインキ保持部１８と、インキ非保持部１６とに分割されてなる。
【００２９】
外枠部１２は、セル１０の外枠を形成する所謂土手の機能をはたしており、インキを保持しない。第１のインキ保持部１４は、外枠部１２に内接し、インキ非保持部１６の周囲を囲むように配置され、かつ図１（ｂ）に示すように、外枠部１２とインキ非保持部１６とによって囲まれた枠状の凹部領域となっており、この凹部内にインキを保持する。
【００３０】
インキ非保持部１６は、第１のインキ保持部１４の内側に配置され、図１（ｂ）に示すように、外枠部１２と同じ断面高さを有しており、外枠部１２と同様にインキを保持しない。また、第２のインキ保持部１８は、セル１０の中央部に、インキ非保持部１６によって囲まれるように設けられた凹部領域であり、この凹部内にインキを保持する。
【００３１】
グラビア印刷物における網点を大きくするためには、セル１０における第２のインキ保持部１８の面積率を高める（すなわち、第１のインキ保持部１４と第２のインキ保持部１８との合計面積を高める）必要があるが、同実施の形態に係るグラビア印刷版では、第１のインキ保持部１４の面積を保持する一方、第２のインキ保持部１８の面積を大きくすることによってこれを実現する。図２乃至図１０は、これを示すセル１０の例である。
【００３２】
すなわち、図２から図１０に行くにしたがって、セル１０におけるインキ保持部の面積率を徐々に高くしている。この場合、第１のインキ保持部１４の面積は変えずに、第２のインキ保持部１８の面積を大きくしていることに注目されたい。
【００３３】
図２から図１０に示すセルは、２０×２０＝４００のマスによって形成している。そして、最外周から２層目と３層目との１２８マスを第１のインキ保持部１４としている。したがって、図２（ａ）の平面図に示すように、第２のインキ保持部１８の面積をゼロとした場合、セル１０におけるインキ保持部の面積率は３２％（１２８／４００）となる。図２（ｂ）は、図２（ａ）に示すＢ−Ｂ線に沿ったセル断面図を２つ並べた図である。図２（ｂ）に示す図は、第１のインキ保持部１４には未だインキが保持されていない状態を示している。また、図２（ｃ）は、図２（ｂ）に示す断面形状のセル１０を有する印刷版によって、紙面２２にインキ２０が転写された状態を示す立面概念図である。
【００３４】
図３（ａ）の平面図に示すように、セル１０の中心部の４マスを第２のインキ保持部１８とすることによって、インキ保持部面積率を３３％（１３２／４００）とすることができる。図３（ｂ）は、図３（ａ）に示すＣ−Ｃ線に沿ったセル断面図を２つ並べた図である。図３（ｂ）に示す図は、第１のインキ保持部１４，１８には未だインキが保持されていない状態を示している。また、図３（ｃ）は、図３（ｂ）に示す断面形状のセル１０を有する印刷版によって、紙面２２にインキ２０が転写された状態を示す立面概念図である。
【００３５】
図４は、図３に示す状態から第２のインキ保持部１８の面積を更に４マス増やし、インキ保持部面積率を３４％（１３６／４００）としたセル１０の一例を示している。図４に示すように、第２のインキ保持部１８の平面形状は、必ずしも正方形のような完全対称形状である必要はなく、長方形のような一部非対称な形状であってもよい。
【００３６】
図５は、セル１０の中心側の３２マスによって第２のインキ保持部１８を形成することにより、インキ保持部面積率を４０％（１６０／４００）とした例を示している。図６は、セル１０の中心側の７２マスによって第２のインキ保持部１８を形成することにより、インキ保持部面積率を５０％（２００／４００）とした例を示している。図７（ａ）の平面図は、セル１０の中心側の１１２マスによって第２のインキ保持部１８を形成することにより、インキ保持部面積率を６０％（２４０／４００）とした例を示している。図７（ｂ）は、図７（ａ）に示すＤ−Ｄ線に沿ったセル断面図を２つ並べた図である。図７（ｂ）に示す図は、第１のインキ保持部１４及び第２のインキ保持部１８には未だインキが保持されていない状態を示している。また、図７（ｃ）は、図７（ｂ）に示す断面形状のセル１０を有する印刷版によって、紙面２２にインキ２０が転写された状態を示す立面概念図である。
【００３７】
図８は、セル１０の中心側の１５２マスによって第２のインキ保持部１８を形成することにより、インキ保持部面積率を７０％（２８０／４００）とした例を示している。ある程度面積率が高くなった状態から更にインキ保持部面積率を高めるためには、図８に示すように第１のインキ保持部１４と第２のインキ保持部１８とを連続させることによって行う。
【００３８】
図９は、セル１０の中心側の１９２マスによって第２のインキ保持部１８を形成することにより、インキ保持部面積率を８０％（３２０／４００）とした例を示している。図９に示す状態は、第１のインキ保持部１４と第２のインキ保持部１８とが実質的に同一となり、インキ非保持部１６は、セル１０の中心から最も離れた４マスのみとなった状態を示している。
【００３９】
図１０（ａ）は、セル１０におけるインキ保持部面積率を最大にした状態を示している。すなわち、もはやインキ非保持部１６はなくなり、外枠部１２以外のマスは全てインキ保持部となる。この場合、インキ保持部面積率は８１％（３２４／４００）となる。図１０（ｂ）は、図１０（ａ）に示すＥ−Ｅ線に沿ったセル断面図を２つ並べた図である。図１０（ｂ）に示す図は、第１のインキ保持部１４及び第２のインキ保持部１８には未だインキが保持されていない状態を示している。また、図１０（ｃ）は、図１０（ｂ）に示す断面形状のセル１０を有する印刷版によって、紙面２２にインキ２０が転写された状態を示す立面概念図である。
【００４０】
このようにインキ保持部面積率を高める場合には、第２のインキ保持部１８を、セル１０の中心側から外側に向けて大きくすることによって行う。この場合、第２のインキ保持部１８を形成するマスの数を、増やすことによって行う。したがって、マスを細かく設けることによって、インキ保持部面積率をきめ細かく調整することができる。また、第２のインキ保持部１８は、このように矩形状のマスを組み合わせて構成するために、必ずしも多角形状に限るものではなく、図５乃至図９に示すような滑らかではない複雑な外形形状を有する場合もある。
【００４１】
次に、以上のように構成した本発明の実施の形態に係るグラビア印刷版の作用について説明する。
【００４２】
すなわち、本発明の実施の形態に係るグラビア印刷版では、２つのインキ保持部、すなわち第１のインキ保持部１４と第２のインキ保持部１８とをセル１０内に設けている。これにより、インキが分散されるので、紙に転移した際のインキ膜の厚さを薄くする事が可能となる。
【００４３】
つまり、従来技術によるグラビア印刷版のセル６０は、図１１（ａ）の平面図に示すように、セル６０の中心側にインキ保持部６２を設けている。図１１（ｂ）は、図１１（ａ）に示すＦ−Ｆ線に沿ったセル断面図を２つ並べた図である。図１１（ｂ）に示す図は、インキ保持部６２には未だインキが保持されていない状態を示している。また、図１１（ｃ）は、図１１（ｂ）に示す断面形状のセル６０を有する印刷版によって、紙面２２にインキ２０が転写された状態を示す立断面図である。
【００４４】
図１１（ａ）の平面図に示すようなセル６０のインキ保持部６２の面積率は３３％である。同じインキ保持部面積率を有する本発明の実施の形態に係るグラビア印刷版のセル１０は、図３（ａ）に相当する。インキ保持部面積率が同じでありながら、図１１（ｃ）に示すように、従来技術によるグラビア印刷版のセル１０によって紙面２２に転写されたインキ２０の膜厚ｔ’に比べて、図３（ｃ）に示すように、本発明の実施の形態に係るグラビア印刷版のセル１０によって紙面２２に転写されたインキ２０の膜厚ｔは、薄くなる。
【００４５】
この効果は、インキ保持部面積率が大きくなるほど顕著になる。例えば、図１２（ａ）の平面図に示すような従来技術によるセル６０のインキ保持部６２の面積率は６０％である。図１２（ｂ）は、図１２（ａ）に示すＧ−Ｇ線に沿ったセル断面図を２つ並べた図である。図１２（ｂ）に示す図は、インキ保持部６２には未だインキが保持されていない状態を示している。また、図１２（ｃ）は、図１２（ｂ）に示す断面形状のセル６０を有する印刷版によって、紙面２２にインキ２０が転写された状態を示す立断面図である。図１１（ｃ）と図１２（ｃ）とを比較して分かるように、従来技術の場合、同面積率が３０％から６０％になることによって、紙面２２に転写されたインキ２０の膜厚もｔ’からｔ’’に厚くなっていることがわかる。
【００４６】
すなわち、従来技術では、セル６０におけるインキ保持部面積率を大きくする場合、インキ保持部６２の容積を大きくせざるを得ないため、インキ２０を紙面２２に転移する際には、一度に大量のインキ２０が紙面２２に転移するようになる。その結果、図１１（ｃ）または図１２（ｃ）に示すように、中央が厚く周囲が薄いインキ２０の膜が紙面２２に形成される。更に、セル６０は、印刷物の線数によって定められているため、１つのセル６０に、１つのインキ保持部６２のみを形成することにより、互いに隣り合うセル６０内のインキ保持部６２同士の距離ｄが長くなる。このため、インキ２０が紙面２２に転移した際には、各セル６０におけるインキ保持部６２から転移したインキ２０とインキ２０の間に、紙が存在するようになる。一般的に紙は白いため、インキ２０が紙面２２に転移した際には、紙の白によって、膜が厚いインキ２０の中央部分と紙とのコントラストが明確になり、その結果、膜厚ｔが厚い中央部分のみが強調されて濃く見えて、ざらついて見えるようになってしまう。
【００４７】
それに対し、図１２と同じインキ保持部面積率を持つ本発明の実施の形態である図７に着目すると、図１２（ｃ）と図７（ｃ）とを比較して分かるように、図７（ｃ）に示す本発明の実施の形態に係るグラビア印刷版のセル１０によって紙面２２に転写されたインキ２０の膜厚ｔは、図１２（ｃ）の場合に比べて薄くなる。しかも、本発明の実施の形態によれば、図３（ｃ）と図７（ｃ）とを比較して分かるように、インキ保持部面積率が３３％から６０％に上昇しても、紙面２２に転写されたインキ２０の膜厚ｔはさほど増加しない。
【００４８】
なぜなら、本発明の実施の形態では、１つのセル１０が、２つのインキ保持部１４，１８を備えているからである。このように、１つのセル１０に２つのインキ保持部１４，１８が存在するため、紙面２２に転移するインキ２０の量を分散する事が可能になる。その結果、等しいセル保持部面積率を持つ従来技術によるグラビア印刷版よりも、紙面２２に転移したインキ２０によって形成された膜厚ｔを、薄くすることが可能となる。
【００４９】
更に、従来技術においては、図１１（ａ）や図１２（ａ）に示すように、セル６０内に１つの大きなインキ保持部６２を備えた構成であったために、一度に大量のインキ２０が紙面２２に転移すること、および、互いに隣接するセル６０内のインキ保持部６２同士の距離ｄが比較的長くなっていまい、インキ２０を紙面２２に転移した場合には、紙面の白との間で各インキ保持部６２から転移したインキのコントラストが明確となってしまい、印刷物にばらつきが生じていた。
【００５０】
しかしながら、本発明の実施の形態では、１つのセル６０が２つのインキ保持部１４，１８を備えているために、第１のインキ保持部１４から紙面２２に転移したインキ２０と、第２のインキ保持部１８から紙面２２に転移したインキ２０とをより隣接して形成することができる。その結果、中央部分の膜厚が薄いインキ膜が互いにより近接して配置されるようになり、インキ２０と紙面２２の白とのコントラストが押さえられ、もって、ざらつきを抑えたグラビア印刷物を提供することが可能となる。
【００５１】
つまり、本発明の実施の形態に係るグラビア印刷版では、インキを分散させるため、インキとインキの距離が短くなり、その結果、紙白のコントラストを抑えることが可能となる。更に、第１のインキ保持部１４によって薄いインキ膜を形成することが可能となるため、より紙白のコントラストを抑えることが可能となる。すなわち、第１のインキ保持部１４は外枠部１２に内接して設けられており、その形状はドーナッツ状であるため、第１のインキ保持部１４は、１つのセル１０の中に最大に設けられるドーナッツ状である。よって、第１のインキ保持部１４から転移したインキは、紙の上にドーナッツ状に転移した後、前後左右に薄く伸びる。よって、第１のインキ保持部１４によって薄いインキ膜を紙上に形成することが可能となり、より紙白のコントラストを抑えることが可能となる。
【００５２】
したがって、ロングラン印刷においても、グラビア印刷物の品質のばらつきを阻止することが可能となる。更に、このようなグラビア印刷物を綴じてなる冊子体を作成した場合においても、ざらつき、ばらつきともにない優れた品質の冊子体を実現することが可能となる。
【００５３】
なお、全く同一なセル１０が連続して配置されているグラビア印刷版によって印刷されたグラビア印刷物では、モアレが発生する恐れがある。これを避けるために、インキ保持部面積率が同じ場合であっても、外枠部１２や第１のインキ保持部１４及び第２のインキ保持部１８の形状を、隣接するセル１０のものと変えたり、第２のインキ保持部１８の位置を、隣接するセル１０のものとは異なるようにしても良い。
【００５４】
例えば、図４に示すようなインキ保持部面積率３４％のセル１０が連続して配置されているグラビア印刷版の場合、その一部を図１３に示すような平面形状のセル１１に置き換えて配置する。図１３に示すセル１１は、図４に示すセル１０の第１のインキ保持部１４のマスを４つ減らして、代わりに第２のインキ保持部１８のマスを４つ増やすことによって外枠部１２や第１のインキ保持部１４及び第２のインキ保持部１８の形状を変えたものの、図４と同じインキ保持部面積率３４％となっている。また、図１４は、第２のインキ保持部１８の位置を、隣接するセル１０のものとは異なるようにした一例であって、第２のインキ保持部１８の位置を、セル１１の中心から図中左側に１マス分ずらしている。
【００５５】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００５６】
【図１】本発明の実施の形態に係るグラビア印刷版のセルの構成例を示す図。
【図２】本発明の実施の形態に係るグラビア印刷版のセルの構成例を示す図、およびグラビア印刷版によってインキが転写された紙面の立面概念図（インキ保持部面積率３２％）。
【図３】本発明の実施の形態に係るグラビア印刷版のセルの構成例を示す図、およびグラビア印刷版によってインキが転写された紙面の立面概念図（インキ保持部面積率３３％）。
【図４】本発明の実施の形態に係るグラビア印刷版のセルの構成例を示す図（インキ保持部面積率３４％）。
【図５】本発明の実施の形態に係るグラビア印刷版のセルの構成例を示す図（インキ保持部面積率４０％）。
【図６】本発明の実施の形態に係るグラビア印刷版のセルの構成例を示す図（インキ保持部面積率５０％）。
【図７】本発明の実施の形態に係るグラビア印刷版のセルの構成例を示す図、およびグラビア印刷版によってインキが転写された紙面の立面概念図（インキ保持部面積率６０％）。
【図８】本発明の実施の形態に係るグラビア印刷版のセルの構成例を示す図（インキ保持部面積率７０％）。
【図９】本発明の実施の形態に係るグラビア印刷版のセルの構成例を示す図（インキ保持部面積率８０％）。
【図１０】本発明の実施の形態に係るグラビア印刷版のセルの構成例を示す図、およびグラビア印刷版によってインキが転写された紙面の立面概念図（インキ保持部面積率８１％）。
【図１１】従来技術によるグラビア印刷版のセルの構成例を示す図、およびグラビア印刷版によってインキが転写された紙面の立面概念図（インキ保持部面積率３３％）。
【図１２】従来技術によるグラビア印刷版のセルの構成例を示す図、およびグラビア印刷版によってインキが転写された紙面の立面概念図（インキ保持部面積率６０％）。
【図１３】モアレ防止のためにインキ保持部の形状を変えた本発明の実施の形態に係るグラビア印刷版のセルの構成例を示す図。
【図１４】モアレ防止のためにインキ保持部の位置を変えた本発明の実施の形態に係るグラビア印刷版のセルの構成例を示す図。
【図１５】コンベンショナルグラビア印刷法におけるセル容積の変化方法を示す図。
【図１６】ダイレクトグラビア印刷法におけるセル容積の変化方法を示す図。
【図１７】彫刻グラビア印刷法におけるセル容積の変化方法を示す図。
【符号の説明】
【００５７】
１０，１１…セル、１２…外枠部、１４…第１のインキ保持部、１６…インキ非保持部、１８…第２のインキ保持部、２０…インキ、２２…紙面、６０…セル、６２…インキ保持部
【図１】
2006026926.tif 000003
【図２】
2006026926.tif 000004
【図３】
2006026926.tif 000005
【図４】
2006026926.tif 000006
【図５】
2006026926.tif 000007
【図６】
2006026926.tif 000008
【図７】
2006026926.tif 000009
【図８】
2006026926.tif 000010
【図９】
2006026926.tif 000011
【図１０】
2006026926.tif 000012
【図１１】
2006026926.tif 000013
【図１２】
2006026926.tif 000014
【図１３】
2006026926.tif 000015
【図１４】
2006026926.tif 000016
【図１５】
2006026926.tif 000017
【図１６】
2006026926.tif 000018
【図１７】
2006026926.tif 000019